(57)【要約】  本発明は筆記具組立体に関し、より詳しくは、ペン又はフェルトペン等の多数の筆記具と多数のキャップとを有する筆記具組立体に関する。この筆記具組立体は、可撓性のある材料から製造された細長い連結具を含み、該連結具の端部と端部を相互に連結して環状の連結具を作ることができる。本発明は、前記連結具を細長く伸展した状態から環状の状態に湾曲させるためには連結具に外部からの力を加えなければならないように、連結具の材料が弾力性も有していることを特徴とする。
2017513748.tif 000002
【特許請求の範囲】
【請求項１】
ペン又はフェルトペン等の多数の筆記具と、
該筆記具用の多数のキャップと、
可撓性のある材料から製造された細長い連結具と
を有し、該連結具の端部と端部とを相互に連結して環状の連結具を作り、前記連結具が永久的に前記多数のキャップに接続され、
前記連結具は、第一の連結状態で多数のキャップを相互に連結するように形成されており、また、該第一の連結状態で前記連結具は該多数のキャップの各々に連結されており、
前記連結具を細長く伸展した状態から環状状態に湾曲させるためには該連結具に外部からの力を加えなければならないように、該連結具の材料は弾力性も有しており、前記端部と端部とが連結されておらず、外部からの力もかかっていない状態にあっては、前記連結具は、前記環状状態から前記細長く伸展した状態へと反対側に湾曲して戻り、前記連結具が細長く伸展した状態で外部からの力がかかっていない状態では、前記筆記具の前記キャップが全て同じ方向を向いている組立体であって、
前記環状状態では前記連結具に連結された多数のキャップが放射状に配置されることを特徴とする組立体。
【請求項２】
前記連結具が前記多数のキャップと一体に製造されていることを特徴とする、請求項１に記載の組立体。
【請求項３】
前記多数の筆記具の収容部材をさらに有することを特徴とする、請求項１又は２に記載の組立体。
【請求項４】
前記収容部材が、前記組立体の前記多数の筆記具を前記第一の連結状態で入れることのできるスリーブ状の要素を有しており、前記多数の筆記具が該スリーブ状の要素に入れられたときに前記連結具が該スリーブ状の要素を閉じることを特徴とする、請求項３に記載の組立体。
【請求項５】
前記スリーブ状の要素と前記連結具とが、該スリーブ状の要素と該連結具とを相互に固定する固定手段を備えていることを特徴とする、請求項４に記載の組立体。
【請求項６】
前記収容部材が基体要素とカバー要素とを有し、該カバー要素と該基体要素とを前記収容部材を形成するように相互に組み合わせることができ、前記基体要素及び／又は前記カバー要素が、前記第一の連結状態にある組立体の多数の筆記具をぴったりと受け入れるように予め形成されていることを特徴とする、請求項３に記載の組立体。
【請求項７】
前記基体要素及び／又は前記カバー要素の壁が、前記多数の筆記具の形状に対応する凹陥部を有していることを特徴とする、請求項６に記載の組立体。
【請求項８】
前記基体要素及び／又は前記カバー要素が前記連結具を収めるための凹部を有していることを特徴とする、請求項６又は７に記載の組立体。
【請求項９】
前記連結具が管状又は梁状で溝が設けられており、前記複数のキャップの各々が、
前記多数の筆記具の内の１つのペン先に閉めるためのケースと、
該ケースに接続された軸と、
該軸に接続された頭部と
を有し、
前記第一の連結状態において、該頭部が前記連結具に収容されており、前記軸が前記溝から突き出しており、前記頭部及び／又は前記ケースが前記連結具の内壁又は外壁にそれぞれ当接して前記キャップの動きを前記溝の長手方向の動きに制限することを特徴とする、請求項１〜８のいずれか一項に記載の組立体。
【請求項１０】
前記管状又は梁状の連結具の両端部の間に多数のキャップを閉じ込めるために、該連結具の両端を塞ぐ閉塞要素をさらに有することを特徴とする、請求項９に記載の組立体。
【請求項１１】
前記連結具が、前記端部と端部とを連結するための連結要素を、連結具の両端部に備えていることを特徴とする、請求項１〜１０のいずれか一項に記載の組立体。
【発明の詳細な説明】
【技術分野】
【０００１】
本発明は筆記具組立体に関し、より詳しくは、ペン又はフェルトペン等の多数の筆記具と多数のキャップとを有する筆記具組立体に関する。
【背景技術】
【０００２】
このような組立体は公知である。このような組立体の欠点は、ペン又はフェルトペンからキャップが緩んで外れ、そして失われてしまうことによる不便さにある。この問題は、特に子供について起こる。フェルトペン又はペンのキャップが閉まっていないと乾燥してしまう危険性がある。
【０００３】
この課題の解決方法は従来技術から知られている。公知の課題解決方法においては、各キャップには孔が設けられている。筆記具組立体には紐が付いており、使用者が各キャップに紐を通して、キャップ同士を連結することができる。このようにすることによって、１つずつのキャップが無くなるという使用者にとっての危険性が小さくなる。複数の筆記具と複数のキャップとは、さらに、一まとめにして保管しておくことができる。このような課題解決方法は、WO 2010/130451 A1に記載されている。
【０００４】
本発明の請求項１のプリアンブルに対応する別の課題解決方法がDE 26 24 708 A1に記載されており、キャップが永久的に接続される実質的に平坦な細片を有している。この細片は環状になるまで湾曲させることができる。この状態で、キャップは軸方向に平行になっている。このようにすることによって、キャップを一種のスタンドとして使用することができる。この課題解決方法の欠点は、特に全部のフェルトペンがキャップに収まっている状態では、使用者にとってキャップからフェルトペンを外すのが必ずしも容易ではないことである。さらに、少数のフェルトペンがキャップに収まっている場合には、特に、子供が扱う場合によく起こる事態であるが、スタンドの安定性が低下し、スタンドが倒れてしまうことがある。
【先行技術文献】
【特許文献】
【０００５】
【特許文献１】WO 2010/130451 A1
【特許文献２】DE 26 24 708 A1
【発明の概要】
【０００６】
先に記述した課題解決方法を改良し、前記問題が生じないか、生じにくくなるようにすることが本発明の目的である。
【０００７】
この目的は、請求項１に記載の組立体を用いて、本発明によって達成される。本発明による組立体は、ペン又はフェルトペン等の多数の筆記具と、筆記具用の多数のキャップと、可撓性のある材料から製造された細長い連結具とを有し、該連結具の端部と端部を相互に連結して環状の連結具を作り、この連結具は永久的に、そして好ましくは固定的に前記多数のキャップに接続される。さらに、連結具は、第一の連結状態で多数のキャップを相互に連結するように形成されており、この状態で連結具は多数のキャップの各々に連結されている。
【０００８】
連結具を細長く伸展した状態から環状の状態に湾曲させるためには連結具に外部からの力を加えなければならないように、連結具の材料は弾力性も有している。端部と端部が連結されておらず、外部からの力もかかっていない状態にある連結具は、環状状態から細長く伸展した状態へと反対側に湾曲して戻る。連結具が細長い状態で外部からの力がかかっていない状態では、筆記具のキャップは全て同じ方向を向いている。
【０００９】
使用者による力、更には重力等のその他の外部からの力などの外部からの力がかかっていない状態では、連結具は細長く伸展した状態にある。連結具は、特に、かなり多くの数の筆記具に適した連結具である場合は、重力の影響下である程度まで湾曲することができる。
【００１０】
組立体を使用する前に、使用者は連結具を環状状態に湾曲させることができる。このようにすると、筆記具は扇状に広がり、使用者は対応するペン又はフェルトペンから容易にキャップを取り外すことができる。多数の筆記具とキャップとを保管するためには、使用者は筆記具を対応するキャップに入れて、連結具の端部の連結を解除する。その結果、連結具は細長い状態に跳ね戻る。この状態では、全部のペン又はフェルトペンが相互に近接して平行になっており、全体がコンパクトな状態になっている。この状況では、使用者が１つ１つのペン又はフェルトペンを掴むのはより困難である。しかしながら、コンパクトであるがために、組立体を保管するのがより容易になっている。
【００１１】
連結具をキャップと一体に製造することが推奨される。このように製造することによって、収容部材中に組立体を連結した状態で収める選択肢を作ることができる。このようにすることにより、使用時に便利になるばかりでなく、製品の製造も容易になる。
【００１２】
一態様において、組立体は、多数の筆記具用の収容部材をさらに有している。収容部材は組立体の多数の筆記具を第一の連結状態でそこに収容することのできるスリーブ状の要素であり、多数の筆記具がスリーブ状の要素に収容されると連結具がスリーブ状の要素を閉じる。スリーブ状の要素と連結具とは、連結具とスリーブ状の要素とを相互に固定する固定手段を備えている。しかしながら、筆記具、キャップ、及び連結具を全てスリーブ状の要素に収容することも可能である。この後者の場合は、例えば、スリーブ状の要素を閉じるための折り返し部を設けることができる。
【００１３】
別の態様においては、収容部材は基体要素とカバー要素とを備えており、該カバー要素と基体要素とは収容部材を形成する目的で相互に組み合わせることができ、基体要素及び／又はカバー要素は、組立体が第一の状態にあるときの多数の筆記具をぴったりと受け入れるように予め形成されている。このように、基体要素及び／又はカバー要素は、複数の筆記具の形状に対応する凹陥部を有することができる。このように構成することによって、筆記具を基体要素及び／又はカバー要素に入れた後には、筆記具が所定の場所に配置された状態を保つことができる。基体要素及び／又はカバー要素は、連結具を収めるための凹部をさらに有していてもよい。
【００１４】
連結具は、管状であっても梁状であってもよく、溝を設けることができる。多数のキャップの各々は、多数の筆記具の内の１つのペン先に閉めるためのケースと、該ケースに接続された軸と、該軸に接続された頭部とを有している。第一の連結状態において、この頭部は連結具に収容されており、軸が前記溝から突き出している。そして、頭部及び／又はケースは連結具の内壁又は外壁にそれぞれ当接してキャップの動きを前記溝の長手方向の動きに制限する。
【００１５】
前記溝と前記頭部及び／又はケースの形状とによって、複数の筆記具が実質的に同一平面上にあるようになる。これによって、組立体の使い勝手が良くなる。
【００１６】
更なる態様においては、組立体は、管状又は梁状の連結具の両端部の間に多数のキャップを閉じ込めるために、当該連結具の両端を塞ぐ閉塞要素を有している。
【００１７】
一態様において、連結具は端部同士を連結するための連結要素を両端部に備えている。これらの連結要素は前記閉塞要素と同一の物であってもよい。連結具は、例えば、中空の管として形成することができる。このような態様においては、連結要素及び閉塞要素は、連結具の中空の管内に留め付けるように配置する棒状要素によって形成することができる。中空管はこのようにして閉塞され、中空管の両端が連結される。
【００１８】
以下において、添付の図面を参照しながら、本発明をより詳細に記述する。
【図面の簡単な説明】
【００１９】
【図１Ａ】細長く伸展した状態にある、本発明による組立体の第一の態様を示している。
【図１Ｂ】環状状態にある、本発明による組立体の第二の態様を示している。
【図２Ａ】組み合わされていない状態にある、収容部材と組立体の第一の態様とを示している。
【図２Ｂ】組み合わされた状態にある、収容部材と組立体の第一の態様とを示している。
【図３Ａ】細長い伸展した状態にある、本発明による組立体の第二の態様を示している。
【図３Ｂ】環状状態にある、本発明による組立体の第二の態様を示している。
【図４】更に、収容部材と組み合わせた組立体の第二の態様を示している。
【図５Ａ】環状に連結された組立体の第三の態様を示している。
【図５Ｂ】真直ぐで連結されていない状態にある組立体の第三の態様を示している。
【図６】収容部材の更なる態様を示している。
【図７】図６の収容部材の詳細図を示している。
【図８】図６の収容部材の詳細図を示している。
【発明を実施するための形態】
【００２０】
図１Ａは、本発明による組立体の一態様を示している。組立体１は、ここではフェルトペン２の形態である多数の筆記具と対応するキャップ３とを有している。組立体１は、複数のキャップ３を連結するための連結具４をさらに有している。図１の態様において、連結具４とキャップ３とは一体に製造されている。
【００２１】
図１Ａは、組立体を保管するのに適した伸展状態を示している。図１Ｂは、使用時の位置に対応する環状状態を示している。連結具４は環を形成するように湾曲され、連結具４の端部と端部５とはピン７と係合する留め金６によって接続される。磁気材料又は磁化可能な材料がそれぞれの端部５内に設けられている磁気閉環手段のような、他のタイプの閉環手段を排除するものではない。
【００２２】
図２Ａは、スリーブ状要素の形態をした収容部材８と組み合わせた図１Ａの態様を示している。収容部材８にはピン９が設けられている。収容部材８は、内側及び／又は外側に凹陥部10を有しており、これによって、収容部材８にぴったりと収まるようにフェルトペン２を配置することができる。
【００２３】
図２Ｂは、収容部材８に組立体１が収められている状態を示している。ここでは、丸いピン９と係合させて留め金６が用いられ、これによって組立体１が収容部材８に固定されている。この図には連結具４が収容部材８を閉じる様子も示されている。
【００２４】
図３Ａと３Ｂとは、それぞれ伸長状態と環状状態とにある、本発明による組立体の第二の態様を示している。
【００２５】
図１Ａの態様に比べ、図３Ａに示されている組立体100の連結具104は、フェルトペン102に対応するキャップ103と一体には接続されていない。連結具104には溝120が設けられている。キャップ130は、フェルトペン102を閉じるためのケース127をさらに有しており、該ケースは軸121に接続されており、各軸121は頭部122に接続されている。各頭部122は、端部105から連結具104内に入れることができる。頭部122を配置した後には、その動きと、該頭部に対応するフェルトペン102の動きとが溝120の長手方向に沿ったものに制限される。このような動きの制限は、連結具104の内壁及び／又はキャップ103の上側123と共に頭部122の形状によってなされる。これによって、連結部104は、頭部122とキャップ103の上側123との間にいわば留め付けられているようになっている。
【００２６】
図３Ｂは環状の組立体100を示している。組立体100の端部と端部105とを連結するために連結具104内に留め付けるように配置された棒状要素106がここでは使用されている。この棒状要素は、連結具104に取り付けられたフェルトペン102が連結具から外れないように制限する役割も果たす。所望であれば、キャップ103が既に連結具104に連結され、端部と端部105とが目的に適う閉塞要素145で閉じられている状態で連結具104を供給することができる。図４を参照されたい。
【００２７】
図４は更に別の収容部材108と組み合わせた第二の態様を示している。この収容部材は基体要素130とカバー要素131とを有し、両要素とも、フェルトペン102及び／又は組立体100のキャップ103の形状に対応する凹陥部132を備えている。収容部材108は、連結具104を入れることのできる凹部140をさらに備えている。キャップ103と連結具104との間の好ましくは永久的な接続によって、図４の組立体100は簡単な様態で、好ましくは収容部材108に保管することができる。複数のキャップ103、複数のフェルトペン102、及び連結具104の組立体は、図１Ａ及び図３Ａに示されるように具体化することができることをさらに述べておく。
【００２８】
図５Ａと図５Ｂとは、それぞれ、環状に連結した状態と真直ぐで連結していない状態とにある第三の態様を示している。この態様においては、連結具204は、多数の分節230を有して成る実質的に平坦な細長い片を有している。分節と分節230とは、ここでは接続線231で相互に接続されている。細長い片の材料の厚さは、これらの接続線において細長い片の他の部分よりも小さくなっている。
【００２９】
細長い片はその端部に連結手段206を備えており、図５Ａに示されるように、該連結手段206によって端部と端部とが相互に連結される。図５Ａに示されるように、細長い片を環状に湾曲させることができるように、ここでは、細長い片は可撓性と弾性とを有する材料で形成されている。また、細長い片の端部と端部との連結が外され、外部からの力がさらにかからない場合は、図５Ｂに示されるように、細長い片は真直ぐになるように反対側に曲がる。
【００３０】
この態様では、複数のキャップ203は、永久的にそして固定的に細長い片に接続され、例えば、複数のキャップは連結具に一体に接続される。図１Ｂと図３Ｂとに示されている態様に類似して、複数のキャップ203は放射状に配置され、これによって複数のフェルトペン202を扇状に広げることができる。また、軸方向の撓みを制限又は防止するために、強化手段を用いることも可能である。このように、例えば、厚くなっている場所にリブを設けることができ、リブを細長い片の軸方向に組み入れることができる。このようにすることによって、細長い片を図示される環状状態のみへと湾曲することができる。
【００３１】
図６は、先の図に示されている組立体を収容するのに適した収容部材308を示している。収容部材308は、この目的のために、２つの半体308Aと308Bとを有する二重ブリスターパックとして具体化されている。図７を参照されたい。これらは、各々、半筒状の凹部370を有しており、その間にフェルトペン302とキャップ303とを挟むことができる。連結具304を収容する目的でさらに凹部を設けることができる。
【００３２】
収容部材308は、使用者がこの収容部材308を容易に把持することができるように、さらに２つの窪み部350を有している。これらの窪み部350は、連続した開口部として具体化することも可能である。
【００３３】
収容部材308の２つの半体308A、308Bを閉じるために、収容部材308は、図８により詳細に示されている留め付け連結部340を備えている。半体308Aの外側端部は、半体308Bの外側端部を囲み込んで留め付けることができる。半体308Aと308Bとを閉じる他の又は更なる手段も提供することができる。
【００３４】
収容部材308は、フェルトペンを保管する容器として使用することができるという利点をさらに提供する魅力的な物品を成している。収容部材308に、例えば広告という形態で、ブランドや会社名360等の情報を与えることも可能である。情報としては、環状状態にある連結具の略図を示すこともできる。透明な材料を使用することによって、使用者は、フェルトペンのキャップが連結具に接続されていることを見ることができる。
【００３５】
以下の請求項によって定められる本発明の保護の範囲から離れることなく、様々な変更が可能であることは当業者には明らかである。環状状態が、連結具が円形に湾曲された状態に限定されないことは、特に指摘しておく。相互の連結のために連結部の端部を互いに近付けることのできる他の形状も同様に可能である。
【図１Ａ】
2017513748.tif 000003
【図１Ｂ】
2017513748.tif 000004
【図２Ａ】
2017513748.tif 000005
【図２Ｂ】
2017513748.tif 000006
【図３Ａ】
2017513748.tif 000007
【図３Ｂ】
2017513748.tif 000008
【図４】
2017513748.tif 000009
【図５Ａ】
2017513748.tif 000010
【図５Ｂ】
2017513748.tif 000011
【国際調査報告】
2017513748.tif 000012
2017513748.tif 000013
2017513748.tif 000014